(57)【要約】【課題】装置の大型化を招くことなく、不使用時に揮散性薬剤が気中に放出されるのを防止できる薬剤拡散装置を提供する。【解決手段】通気口２０，２１を有するハウジング１内に、揮散性薬剤を備え、不使用時に、通気口２０，２１の吸気側と排気側の何れか一方又は両方を閉じ、ハウジング１の通気性を低下又は失わせることで、装置の大型化を招くことなく、不使用時に揮散性薬剤が気中に放出されるのを防止する。また、不使用時に、ハウジング１の通気性を低下又は失わせる手段として、ハウジング１に、蓋機能を、吸気口２０、排気口２１自体に待たせた開閉可能な吸気口７４を備える。または吸気口２０と排気口２１を開閉する蓋体６３，６４を備える。【選択図】図１
2005348655.tif 000002
【特許請求の範囲】
【請求項１】
吸気口と排気口を有するハウジング内に、揮散性薬剤と送風機及び送風機駆動用の電動モータを備えた薬剤拡散装置において、ハウジングに開閉可能な吸気口と排気口を備えることを特徴とする薬剤拡散装置。
【請求項２】
吸気口と排気口を有するハウジング内に、揮散性薬剤と送風機及び送風機駆動用の電動モータを備えた薬剤拡散装置において、吸気口と排気口を開閉する蓋体を備えたことを特徴とする薬剤拡散装置。
【請求項３】
吸気口と排気口の各開度調整により吸気量、排気量を調整する請求項１又は請求項２に記載の薬剤拡散装置。
【請求項４】
ハウジングに壁などに対する掛止め手段を備える請求項１乃至請求項３に記載の薬剤拡散装置。
【請求項５】
吸気口又は排気口を開閉する一方の第１蓋体は、ハウジングの外側に回動自在に取り付けられ、ハウジングの吸気口又は排気口の開口面を覆う閉姿勢と、ハウジングから突出し、ハウジングの吸気口と排気口の非開口面とでハウジングを載置面に支える開姿勢と、に回動変位し、ハウジングのスタンドとして使用可能に構成され、他方の第２蓋体は、送風機を駆動及び停止するための電源スイッチの操作部と一体形成され、電源スイッチのオン操作に連動して開動し、オフ操作に連動して閉動することを特徴とする請求項２に記載の薬剤拡散装置。
【請求項６】
第１蓋体は、ハウジングの長手方向に沿う支点軸を中心に回動する請求項５に記載の薬剤拡散装置。
【請求項７】
電源スイッチは、スライドスイッチで構成し、電源スイッチの操作部を突出させるハウジングの表面に、第２蓋体で開閉する吸気口又は排気口を開口形成し、第２蓋体で開閉する吸気口又は排気口は、所定間隔をあけて平行に設けた幅の狭い複数のスリット孔で構成し、第２蓋体は、前記スリット孔と同じスリット孔を開口形成する板状のスライドシャッターで構成する請求項５又は請求項６に記載の薬剤拡散装置。
【請求項８】
送風機は、電動モータの回転軸に装着されて回転し、側方から空気を吸い込み遠心方向に空気を送り出す羽根車と、空気吹出口と羽根車の側板に対向する空気吸込口とを有し、羽根車との間に空気吹出口につながる渦巻き状の通風路が形成されるように、羽根車を覆うケーシングと、で構成する遠心送風機であり、吸気口と排気口は、ハウジングの隣接する表面に形成し、送風機の空気吸込口にハウジングの吸気口が対向し、空気吹出口にハウジングの排気口が対向する請求項５乃至請求項７の何れか１つに記載の薬剤拡散装置。
【請求項９】
揮散性薬剤を保持し、かつ通気性を有するカード状の薬剤保持体を備え、薬剤保持体を挿抜きする薬剤保持体出入口を、第２蓋体で開閉する吸気口又は排気口を開口形成するハウジングの表面に開口形成し、電源スイッチの操作部を突出させるハウジングの表面に、薬剤保持体に形成する摘み部を突出させる請求項８に記載の薬剤拡散装置。
【請求項１０】
第１蓋体でハウジングの吸気口を開閉し、第２蓋体でハウジングの排気口を開閉し、薬剤保持体を薬剤保持体出入口からハウジングの吸気口と送風機の吸込口との間に挿抜自在に装着する請求項９に記載の薬剤拡散装置。
【請求項１１】
吸気口をハウジングの前面に開口形成し、排気口をハウジングの上面に開口形成し、第１蓋体は、ハウジングの後面から突出し、ハウジングの底面とでハウジングを後傾姿勢で載置面に支える請求項５乃至請求項１０の何れか１つに記載の薬剤拡散装置。
【発明の詳細な説明】
【技術分野】
【０００１】
本発明は、害虫駆除剤、芳香剤、医療用薬剤などの揮散性薬剤を室内や車内などの気中に放出する薬剤拡散装置に関する。
【背景技術】
【０００２】
吸気口と排気口を有するハウジング内に、揮散性薬剤を有する薬剤保持体と送風機とを備え、送風機を電動モータにより駆動することで薬剤保持体に送風し、揮散性薬剤を排気口から気中に強制放出する薬剤拡散装置が知られている。
この装置は、送風機を停止した状態、すなわち不使用時でも、ハウジングに空気が通るため、揮散性薬剤が気中に自然放出されるという問題を具備し、この問題を解決するための提案が従来なされている。
すなわち、送風機を駆動したときに発生する吸気口から排気口への空気流の中に薬剤保持体を装着するための使用時の収容部とは別に、不使用時に薬剤保持体を収容することで、その収容された薬剤保持体によって薬剤保持体出入口が閉鎖されて密閉空間となる不使用時の収容部を、ハウジングに備え、不使用時に揮散性薬剤が気中に自然放出されるのを防止するというものであった（たとえば、「特許文献１」、「特許文献２」参照。）。
しかしながら、２つの薬剤保持体収容部をハウジングに備えるために、装置の大型化を招くという問題があった。また送風機を停止したとき、薬剤保持体を不使用時の収容部に移し変えるのを忘れ、薬剤保持体が使用時の収容部に装着されたままになるおそれがあり、確実性に欠けるという問題もある。
【特許文献１】特開２００３−３１０７３７号公報
【特許文献２】特開２００３−３３３９７１号公報
【発明の開示】
【発明が解決しようとする課題】
【０００３】
本発明は、装置の大型化を招くことなく、不使用時に揮散性薬剤が気中に放出されるのを防止できる薬剤拡散装置を提供することを主たる目的とする。
【課題を解決するための手段】
【０００４】
本発明は、通気口を有するハウジング内に、揮散性薬剤を備え、不使用時に、通気口の吸気側と排気側の何れか一方又は両方を閉じ、ハウジングの通気性を低下又は失わせることで、装置の大型化を招くことなく、不使用時に揮散性薬剤が気中に放出されるのを防止する。不使用時に、ハウジングの通気性を低下又は失わせる手段として、ハウジングに開閉可能な吸気口と排気口を備えることを特徴とする。又は、吸気口と排気口を開閉する蓋体を備えることを特徴とする。
ハウジングに備える開閉可能な吸気口と排気口としては、蓋機能を、吸気口、排気口自体に持たせる。例えばブラインドの開閉方式、空調機器の空気吹出し口のようなルーバーの開閉方式などを採用することができる。この場合、使用時に蓋が邪魔にならず便利である。
吸気口と排気口を開閉する蓋体としては、開閉式やスライド式の蓋体を採用できる他、蓋体自体を伸縮自在方式、折畳み方式、巻取り式、開閉シャッター式を採用することもでき、この場合も使用時に蓋が邪魔にならず便利である。
前者の場合、吸気口、排気口自体の各開度調整により、後者の場合は蓋体の開度調整による吸気口、排気口の各開度調整により、例えば薬剤の種類に応じ吸気量、排気量を調整できる。
両者とも、ハウジングに、例えばフックやフック孔などの掛止め手段を備えることで、壁などに吊り下げて使用することができる。
また、吸気口と排気口を開閉する蓋体を備える場合、この蓋体を、揮散性薬剤を強制放出する使用時にのみ開くようにし、すなわち不使用時には蓋体が確実に閉じられるようにし、不使用時に揮散性薬剤が気中に放出されるのを、確実に、防止するため、吸気口又は排気口を開閉する一方の第１蓋体は、ハウジングの外側に回動自在に取り付けられ、ハウジングの吸気口又は排気口の開口面を覆う閉姿勢と、ハウジングから突出し、ハウジングの吸気口と排気口の非開口面とでハウジングを載置面に支える開姿勢と、に回動変位し、ハウジングのスタンドとして使用可能に構成され、他方の第２蓋体は、送風機を駆動及び停止するための電源スイッチの操作部と一体形成され、電源スイッチのオン操作に連動して開動し、オフ操作に連動して閉動することが好ましい。このように、一方の第１蓋体を、使用時にハウジングのスタンドとして使用し、他方の第２蓋体を、送風機を駆動停止するための電源スイッチと連動させることで、これら第１及び第２蓋体は、揮散性薬剤を排気口から強制放出する使用時にのみ開き、不使用時には確実に閉じられるため、不使用時に揮散性薬剤が気中に放出されることを、確実に、防止できる。さらに、第１蓋体をハウジングのスタンドとして使用することで、専用のスタンドが不要になり、装置のコンパクト化及びコストダウンを図ることができる。また、ハウジングを自立可能な形状に形成する必要もなくなり、外観形状に自由にデザインを施すことができると共に、よりコンパクトに形成でき、しかも使用場所や設置場所もあまり限定されず、使い勝手が良くなる。
この場合、次の構成を付加することができる。
すなわち、第１蓋体は、ハウジングの長手方向に沿う支点軸を中心に回動する。この構成を付加することで、ハウジングの長手方向幅と略同じ幅に第１蓋体を形成でき、ハウジングの長手方向の幅と略同じ幅を有する第１蓋体によって、ハウジングを安定して載置面に支えることができるようになる。また、ハウジングの長手方向の幅と略同じ幅を有する大きな第１蓋体に形成でき、これに伴い第１蓋体で開閉するハウジングの吸気口又は排気口の開口面積も大きくすることができるようになる。
電源スイッチは、スライドスイッチで構成し、電源スイッチの操作部を突出させるハウジングの表面に、第２蓋体で開閉する吸気口又は排気口を開口形成し、第２蓋体で開閉する吸気口又は排気口は、所定間隔をあけて平行に設けた幅の狭い複数のスリット孔で構成し、第２蓋体は、前記スリット孔と同じスリット孔を開口形成する板状のスライドシャッターで構成する。この構成を付加することで、開閉操作量が電源スイッチの小さい操作ストロークと同じになる第２蓋体で、大きな開口面積を有するハウジングの吸気口又は排気口を開閉することができるようになる。
そして、大きな開口面積の吸気口と排気口は、ハウジングの通気性を高めて送風機による揮散性薬剤の拡散性能を向上させる上で有効となる。
送風機は、電動モータの回転軸に装着されて回転し、側方から空気を吸い込み遠心方向に空気を送り出す羽根車と、空気吹出口と羽根車の側板に対向する空気吸込口とを有し、羽根車との間に空気吹出口につながる渦巻き状の通風路が形成されるように、羽根車を覆うケーシングと、で構成する遠心送風機（シロッコファン）であり、吸気口と排気口はハウジングの隣接する表面に形成し、送風機の空気吸込口にハウジングの吸気口が対向し、空気吹出口にハウジングの排気口が対向する。この構成を付加することで、たとえば、軸流ファンなどに比べて、小型の送風機で必要な風量及び風圧を得ることができ、装置のコンパクト化を図りながら、揮散性薬剤の拡散性能を向上させることができるようになる。
揮散性薬剤を保持し、かつ通気性を有するカード状の薬剤保持体を備え、薬剤保持体を挿抜きする薬剤保持体出入口を、第２蓋体で開閉する吸気口又は排気口を開口形成するハウジングの表面に開口形成し、電源スイッチの操作部を突出させるハウジングの表面に、薬剤保持体に形成する摘み部を突出させる。この構成を採用することで、薬剤保持体がハウジング内に装着されているか否かを電源スイッチのオン操作時に、使用者に確実に認識させることができ、たとえば、薬剤保持体が未装着のままで送風機が無駄に駆動されるのを防止できるようになる。また電源スイッチ操作並びに薬剤保持体の挿抜をハウジングの同一表面から行えるため、取扱性にも優れる。
第１蓋体でハウジングの吸気口を開閉し、第２蓋体でハウジングの排気口を開閉し、薬剤保持体を薬剤保持体出入口からハウジングの吸気口と送風機の吸込口との間に挿抜自在に装着する。この構成を採用することで、揮散性薬剤を送風機の通風路の中で、空気流中に均一に分布させることができ、揮散性薬剤の拡散性能を向上させる上で有効となる。
吸気口をハウジングの前面に開口形成し、排気口をハウジングの上面に開口形成し、第１蓋体は開姿勢に回動変位したとき、ハウジングの後面から突出してスタンドとなり、ハウジングの底面とでハウジングを後傾姿勢で載置面に支える。この構成を採用することで、使用時には吸気口が斜め上方に向き、吸気口の直前に物が置かれたとしても、吸気を良好に行うことができ、吸気不良による性能低下を防止できるようになり、使用場所や設置場所もあまり限定されず、たとえば、室内の隅の物陰などに設置して使用することも可能となり、また排気口からの上向き送風により揮散性薬剤を放出するため、使用場所や設置場所もあまり限定されず、たとえば、室内の低い場所や床面に設置しても、室内に揮散性薬剤を均一に拡散充満させることができ、揮散性薬剤の拡散性能に優れる。
【発明の効果】
【０００５】
本発明によれば、不使用時にハウジングの吸気口又は排気口の一方又は両方を蓋体によって閉じることで、ハウジングの通気性を低下又は失わせ、揮散性薬剤を使用状態のままで、通気性を低下させたハウジング内、又は通気性を失わせたハウジング内、すなわち略密閉空間（ハウジング内）に収容できるため、装置の大型化を招くことなく、不使用時に揮散性薬剤が気中に放出されるのを防止できる。
【発明を実施するための最良の形態】
【０００６】
以下、本発明の実施形態を図面に基づいて説明する。図１は本実施形態の一実施例を示す薬剤拡散装置を前方右斜め上方から見た外観図、図２は図１の薬剤拡散装置から薬剤保持体を取り出した状態を示す外観図、図３は図１の薬剤拡散装置から第１蓋体を取り外した状態を示す外観図、図４は図１の薬剤拡散装置を後方右斜め上方から見た外観図、図５は図４の薬剤拡散装置から電池蓋を取り外した状態を示す外観図、図６は図１の薬剤拡散装置の平面図、図７は図１の薬剤拡散装置からスタンドを出した使用状態を示す右側面図、図８は図１の薬剤拡散装置の内部構造を示す説明図、図９は図１の薬剤拡散装置の内部構造を示す電装部分の縦断面図、図１０は図１の薬剤拡散装置の内部構造を示す送風機部の縦断面図、図１１は図１の薬剤拡散装置の第１の分解斜視図、図１２は図１の薬剤拡散装置の第２の分解斜視図、図１３は薬剤保持体の分解斜視図である。
【０００７】
図において、１は横長の略直方体状に形成されたハウジングを示している。このハウジング１は、合成樹脂製の、前ケース２と、この前ケース２と嵌合する後ケース３と、から構成されている。
【０００８】
図において、４は送風機を示している。この送風機４は、遠心送風機（シロッコファン）であり、羽根車５と、羽根車５を覆うケーシング６と、羽根車５を回転させる電動モータ７（ＤＣモータ）と、から構成されている。羽根車５は、複数本のアーム８により中心に軸受９を一体に有するリング状の第１側板１０と、この第１側板１０に一端を固定する多数の翼１１・・・と、各翼１１・・・の他端をつなぐリング状の第２側板１２と、から構成され、電動モータ７の回転軸１３に軸受９を介して装着され、側方から空気を吸い込み、遠心方向に空気を送り出す。ケーシング６は、やや深い板金製の第１ケース１４と、やや浅い合成樹脂製の第２ケース１５と、から構成されている。これら各ケース１４，１５は、回転軸１３に対して直交する一平面で分離可能に接合されている。ケーシング６には、空気吹出口１６と空気吸込口１７とが形成されている。空気吸込口１７は、第２ケース１５の、第１ケース１４と反対側の表面、すなわちケーシング６の片面に矩形状に開口形成され、羽根車５の第１側板１０に対向している。空気吹出口１６は、回転軸１３に対して略直交する方向に空気を吹き出すよう、空気吸込口１７と直交するように、ケーシング６（第１ケース１４）の周壁面に形成されている。また、ケーシング６は、羽根車５との間に空気吹出口１６につながる渦巻き状の通風路１８が形成されるように、羽根車５を覆っている。さらに、羽根車５の第２側板１２に対向するケーシング６の片面（空気吸込口１７とは反対側のケーシング６の片面）は閉じられており、遠心送風機４は、片面吸い込み式となっている。ケーシング６の閉じた片面、すなわち第１ケース１４の、第２ケース１５と反対側の表面には、羽根車５の内側同心位置に膨出するカップ状の凹部１９が形成されている。この凹部１９には、電動モータ７が嵌め込まれている。回転軸１３は、ケーシング６の内部に突出し、このケーシング６の内部にて羽根車５を軸支している。
【０００９】
前記送風機４は、空気吹出口１６がハウジング１の上面に対向し、空気吸込口１７がハウジング１の前面に対向するように、ハウジング１の一側（本実施例では左側）に片寄せられて内蔵されている。また、電動モータ７は、送風機４のケーシング６における第１ケース１４とハウジング１の後ケース３との間に凹部１９を介して挟み込まれ、回転軸１３がハウジング１の前後方向に延びる状態で、凹部１９に嵌合保持されている。
【００１０】
ハウジング１には、この隣接する（直角又は略直角な２表面）２表面に通気口を開口形成している。一方の通気口は、送風機４の空気吸込口１７に対向する吸気口２０として、ハウジング１の前面左側部に開口形成されている。他方の通気口は、送風機４の空気吹出口１６に対向する排気口２１として、ハウジング１の上面左側部に開口形成されている。吸気口２０は、空気吸込口１７に対向するハウジング１の前面左側部を格子状に開口形成するよう、多数の小孔２２・・・から構成されている。排気口２１は、空気吹出口１７に対向するハウジング１の上面左側部をすのこ状に開口形成するよう、所定間隔をあけて平行に設けた幅の狭い複数のスリット孔２３・・・から構成されている。
【００１１】
図において、２４は薬剤保持体を示している。この薬剤保持体２４は、たとえば、不織布など多孔質で、かつ通気性を有する素材によって構成され、害虫駆除剤、芳香剤、医療用薬剤などの揮散性薬剤を含浸させる矩形の担体２５と、この担体２５を収容する合成樹脂製のカートリッジ本体２６と、このカートリッジ本体２６に着脱自在に嵌合される合成樹脂製のカートリッジ蓋２７と、から構成されている。カートリッジ本体２６は、担体２５の表面縁部を覆う矩形の枠部２８と、この枠部２８の内側に面一に張設され、担体２５の表面に当接させる十字状の桟部２９と、枠部２８の外側縁から直角に立ち上げられ、担体２５を側方から囲う周壁３０と、から構成されている。カートリッジ蓋２７は、担体２５の裏面周縁部を覆う矩形の枠部３１と、この枠部３１の内側に面一に張設され、担体２５の裏面に当接させる十字状の桟部３２と、から構成されている。そして、カートリッジ本体２９は、この周壁３０の内側に、担体２５を嵌め込んだ後、カートリッジ蓋２７を嵌合することで、カートリッジ本体２９の通気性を有する表面、すなわち枠部２６及び桟部２７と、カートリッジ本体２９の通気性を有する裏面、すなわちカートリッジ蓋２７の枠部３１及び桟部３２とで、担体２５を表裏から挟んだ状態で収容保持して、揮散性薬剤を保持し、かつ通気性を有するカード状の薬剤保持体２４を構成している。また、薬剤保持体２４の下端一側（本実施例では右側）の角部に、誤挿入防止用の角落し部３３を形成するように、担体２５、カートリッジ本体２６、カートリッジ蓋２７のそれぞれについて、下端右側の角部を落としている。さらに、薬剤保持体２４には、下端に抜止め部３４が突出形成され、上端に摘み部３５が突出形成されている。抜止め部３４は、カートリッジ本体２６の、枠部２８の、下縁中央部から下向きに突出形成される略半円形状の係止板３６と、この係止板３６の表面略中央部に形成される円形の係止凹部３７と、から構成されている。摘み部３５は、カートリッジ本体２６の、周壁３０の、上縁中央部から上向きに突出形成される略半円形状の張出し部３８にて構成されている。
【００１２】
ハウジング１の内部には、薬剤保持体２４を着脱自在に収容保持する薬剤保持体収容部３９を形成している。また、ハウジング１の上面左側部で排気口２１の前側には、薬剤保持体２４を収容部３９に対して挿抜する横長な矩形状の薬剤保持体出入口４０を開口形成している。薬剤保持体収容部３９は、開口部を上に向けたコ字状の外枠４１にて形成されている。この外枠４１は、ハウジング１の内部において、ハウジング１の吸気口２０を、ハウジング１の上面とで取り囲む周囲位置にて、ハウジング１の前面から内側に突出形成され、突出端が、送風機４の空気吸込口１７を、ハウジング１の上面とで取り囲む周囲位置にて、送風機４の片面に押し当てられて密着されており、吸気口２０を開口形成したハウジング１の前面と空気吸込口１７を開口形成した送風機４の片面との間に、薬剤保持体２４の厚みに相当する隙間（空間）を確保すると共に、ハウジング１の吸気口２０と送風機４の空気吸込口１７とを連通接続する短い空気流通路を形成している。そして、空気流通路（外枠４１で囲われた隙間）の天壁となるハウジング１の上面が、薬剤保持体出入口４０によってハウジング１の外側に開放されて、その空気流通路が薬剤保持体収容部３９として、ハウジング１の内部に形成されている。このように形成された薬剤保持体収容部３９は、ハウジング１の上面左側部で、排気口２１の前側に開口形成された薬剤保持体出入口４０から挿入される薬剤保持体２４を外枠４１の内側に受け入れて、ハウジング１の内部における、吸気口２０を開口形成したハウジング１の前面と空気吸込口１７を開口形成した送風機４の片面との間で、ハウジング１の吸気口２０と送風機４の空気吸込口１７とが対向する位置にて、薬剤保持体２４を縦型に収容保持する。薬剤保持体２４が薬剤保持体収容部３９に収容されたときには、ハウジング１の吸気口２０と送風機４の空気吸込口１７とは、薬剤保持体２４を挟んで対向するようになる。外枠４１の底面中央部には、薬剤保持体２４の抜止め部３４を貫通させる切欠き部４２が形成されており、薬剤保持体収容部３９は、薬剤保持体２４を、その下端面（カートリッジ本体２６の周壁３０の下面）が外枠４１の内底面に当接するまで挿入したとき、その上端面（カートリッジ本体２６の周壁３０の上面）がハウジング１の上面と略面一になり、その摘み部３５のみがハウジング１の上面から突出するよう、薬剤保持体２４を収容保持するように形成している。さらに、ハウジング１には、薬剤保持体２４が薬剤保持体収容部３９に収容されたとき、切欠き部４２を介して外枠４１の下方に突出する抜止め部３４の係止凹部３７に先端部を嵌合させて係止板３６と係合させ、薬剤保持体２４の抜止めを行うための係止ピン４３が形成されている。また、外枠４１の下端右側の角部には、薬剤保持体２４の角落し部３３に対応する角落し部４４が形成されており、薬剤保持体２４が正規挿入姿勢で薬剤保持体収容部３９に挿入されたときにのみ、その薬剤保持体２４の角落し部３３が外枠３９の角落し部４４と合致し、薬剤保持体２４を最後まで薬剤保持体収容部４４に挿入可能とする一方、薬剤保持体２４が表裏又は上下が逆の正規挿入姿勢以外の姿勢で薬剤保持体収容部３９に誤挿入された場合、その薬剤保持体２４の角落しされていない角部を、薬剤保持体収容部３９の角落し部４４と干渉させ、薬剤保持体２４が最後まで薬剤保持体収容部３９に挿入できないようにし、薬剤保持体２４の正規挿入姿勢以外での誤挿入を防止している。
【００１３】
上記のように、本実施例の薬剤拡散装置は、このハウジング１の片側（本実施例では左側）略半分にて、送風機４を内蔵し、かつハウジング１の吸気口２０から、送風機４の通風路１８を経て、ハウジング１の排気口２１につながる、一連の空気流通路を形成すると共に、送風機４の吸気側の空気流通路中に、薬剤保持体２４を着脱自在に収容保持するように構成されている。そして、ハウジング１の、送風機４とは反対側の、片側（本実施例では右側）略半分には、送風機４の電装部が構成されている。
【００１４】
ハウジング１の後面右側略半部には、内側に凹まされ、上端部と下端部に電極４５，４６を有し、所定の電池４７を所定本数（本実施例では単４電池を４本）収容する電池収容部４８が形成されている。図において、４９は電池収容部４８を覆う着脱可能な電池蓋を示している。
【００１５】
ハウジング１の内部における、電池収容部４８の裏側には、プリント配線基板５０を配置している。このプリント配線基板５０には、電池収容部４８の電極４５，４６と、送風機４の電動モータ７とが電気的に接続されると共に、この電動モータ７の電源を、ＡＣアダプター（図示省略）により、商用電源などの外部電源から取る場合に使用するコネクタジャック５１と、電動モータ７を駆動停止するための電源スイッチ５２と、作動状態を表示するための表示ランプ（本実施例では発光ダイオード）５３などを、それぞれ半田固定して実装しており、電源スイッチ５２をオン操作することで、電池４７又は外部電源から電動モータ７に電源を供給し、電動モータ７を回転駆動して送風機４を作動させ、これと同時に表示ランプ５３にも通電してこれを点灯させ、作動状態を可視表示する一方、電源スイッチ５２をオフ操作することで、電動モータ７及び表示ランプ５３への通電を遮断し、電動モータ７を停止して送風機を停止させ、表示ランプ５３を消灯して非作動状態を可視表示するように、電気回路を構成している。
【００１６】
コネクタジャック５１は、この差込口を、ハウジング１の右側面に開口形成したジャック孔５４を介してハウジング１の外表面に露呈させている。また、表示ランプ５３は、この発光部を、ハウジング１の前面右側の上角部に開口形成したランプ孔５５からハウジング１の外表面に露呈させている。
【００１７】
電源スイッチ５２は、スライドスイッチで構成し、スイッチ本体部５６からスライド操作部５７を突出させている。この電源スイッチ５２は、スライド操作部５７が、スイッチ本体部５６から上向きに突出し、かつ、スライド操作部５７の操作方向が、ハウジング１の左右方向になる姿勢で、スライド操作部５７が、ハウジング１の上面に対して所定の隙間を有して接近するように、プリント配線基板５０の上端部に実装されて、ハウジング１の内部における、右側上部位置に配置されている。また、電源スイッチ５２のスライド操作部５７に対向するハウジング１の上面右側部には、スライド操作部５７のスライド範囲に見合ったキー孔６２が開口形成されている。さらに、ハウジング１の内部に配置された電源スイッチ５２のスライド操作部５７を、ハウジング１の外側からスライド操作するための操作部である操作キー５８を別に備えている。この操作キー５８は、合成樹脂材料よりなり、横長な矩形平板状の基板部５９と、基板部５９の一端側（本実施例では右端側）下表面から下向きに突出形成する嵌合部６０と、基板部５９の右端側上表面から嵌合部６０と反対に上向きに突出形成するキートップ部６１とを有し、基板部５９の右端部を、電源スイッチ５２のスライド操作部５７とハウジング１の上面との隙間に挿入させ、嵌合部６０を、電源スイッチ５２のスライド操作部５７に対してこの操作方向で係合するように嵌合させ、キートップ部６１を、キー孔６２からハウジング１の上面に突出させた状態で、基板部５９を、ハウジング１の内部において、ハウジング１の上面右側部に対して基板部５９の上表面が摺接して、電源スイッチ５２のスライド操作部５７の操作方向（ハウジング１の左右方向）に摺動できるように、ハウジング１の内部における、右側部最上部に配置されており、ハウジング１の上面右側部から突出するキートップ部６１を左右方向に操作し、このキートップ部６１と一体に、基板部５９及び嵌合部６０を左右方向にスライドさせることで、すなわち操作キー５８を左右方向にスライドさせることで、この操作キー５８と一体的に電源スイッチ５２のスライド操作部５７を左右方向に操作し、電源スイッチ５２をオン／オフ操作するように構成している。
【００１８】
さらに、本実施例の薬剤拡散装置は、ハウジング１の通気口を開閉するための蓋体を備えている。図において、６３はハウジング１の一方の通気口、すなわち吸気口２０を開閉する第１蓋体を示し、６４はハウジング１の他方の通気口、すなわち排気口２１を開閉する第２蓋体を示している。
【００１９】
第１蓋体６３は、合成樹脂材料よりなり、ハウジング１の前面における、吸気口２０の開口範囲を、ハウジング１の左右横幅の全幅にわたって覆うように、ハウジング１の左右横幅と略同じ横幅を有する横長な矩形平板状に形成している。ハウジング１の左右側面と底面との角部を全長にわたって内側に凹め、かつハウジング１の左右側面と後面との角部を下端からハウジング１の前後幅と略同じ高さまで内側に凹めるように、ハウジング１の左右側面の下部には、Ｌ字状の凹部６５，６５が形成されている。また、ハウジング１の左右側面における、凹部６５，６５の水平部部分と垂直部分が交わる角部に対応する位置には、軸受け孔６６，６６が形成され、凹部６５，６５の水平部分の端部には、閉位置での位置決め溝６７，６７が形成されると共に、凹部６５，６５の垂直部分の端部には、開位置での位置決め溝６８，６８がそれぞれ形成されている。第１蓋体６３は、軸受け孔６６，６６に回転自在に嵌合するように、ハウジング１の長手方向（左右方向）に沿う左右の支点軸６９，６９を有している。また、第１蓋体６３は、支点軸６９、６９を先端部に有して、支点軸６９，６９を介してハウジング１に対して回動自在に支持され、凹部６５，６５の水平部分に嵌り込む水平姿勢から凹部６５，６５の垂直部分に嵌り込む垂直姿勢に回動変位可能な左右の回動アーム７０，７０を有している。さらに、第１蓋体６３は、回動アーム７０，７０の基端部から支点軸６９，６９と同方向に突出形成され、回動アーム７０，７０が凹部６５，６５の水平部分に嵌り込む水平姿勢に回動したときに、閉位置での位置決め溝６７，６７に対して係合し、その回動アーム７０，７０を凹部６５，６５の水平部分に嵌り込む水平姿勢でハウジング１に対して位置保持すると共に、回動アーム７０，７０が凹部６５，６５の垂直部分に嵌り込む垂直姿勢に回動したときに、開位置での位置決め溝６８，６８に対して係合し、その回動アーム７０，７０を凹部６５，６５の垂直部分に嵌り込む垂直姿勢でハウジング１に対して位置保持するように、位置決め突起７１を有している。
【００２０】
そして、第１蓋体６３は、ハウジング１の前面に対向する内面における、下端左右両角部から、前記左右の回動アーム７０，７０を直角に一体延出しており、この左右の回動アーム７０，７０によって、第１蓋体６３が、ハウジング１の前面側の閉姿勢（閉位置）から、ハウジング１の下側を迂回して、ハウジング１の後面側の開姿勢（開位置）に回動変位可能に、ハウジング１の外側に回動自在に取り付けられている。詳しくは、図１、図２、図９に示すように、左右の回動アーム７０，７０が、凹部６５，６５の水平部分に嵌り込む水平姿勢に回動し、かつ、この姿勢でハウジング１に対して位置保持されることで、第１蓋体６３が、ハウジング１の前面側において、ハウジング１の前面に沿ってこの前面を覆う閉姿勢に支持され、図７、図１０に示すように、左右の回動アーム７０，７０が、凹部６５，６５の垂直部分に嵌り込む垂直姿勢に回動し、かつ、この姿勢でハウジング１に対して位置保持されることで、第１蓋体６３が、ハウジング１の後面側において、ハウジング１の後面における上下中間部から直角に後方へ突出する開姿勢に支持され、第１蓋体６３を、ハウジング１に対して閉姿勢に支持することで、吸気口２０を閉じ、その閉姿勢の第１蓋体６３を、ハウジング１の前面側から、ハウジング１の下側を迂回して、ハウジング１の後面側に回動変位させて、ハウジング１に対して開姿勢に支持することで、吸気口２０を開くと共に、ハウジング１に対して開姿勢に支持された第１蓋体６３を、この先端と、ハウジング１の通気口、すなわち吸気口２０と排気口２１の非開口面となるハウジング１の底面とで、吸気口２０が前斜め上方に向き、排気口２１が後斜め上方に向くように、ハウジング１を、後傾姿勢で、設置面Ｇに支えるスタンドとして使用するように構成している。
【００２１】
第２蓋体６４は、合成樹脂材料よりなり、ハウジング１の上面左側部の排気口２１を、ハウジング１の内部から覆うように、横長な矩形平板状に形成している。この第２蓋体６４には、ハウジング１の排気口２１を構成している複数のスリット孔２３・・・と、同様の、複数のスリット孔７２・・・から構成される排気口７３を開口形成している。詳しくは、ハウジング１の排気口２１を構成している各スリット孔２３・・・と、第２蓋体６４の排気口７３を構成している各スリット孔７２・・・は、共に、それぞれ電源スイッチ５２の操作方向と直交する方向（ハウジング１の前後方向）に延びる細長い矩形状や長円形状の長孔からなり、その短尺側の幅が、電源スイッチ５２の操作ストロークと略同じ長さに形成されている。この各スリット孔２３・・・、７２・・・が、複数個、電源スイッチ５２の操作方向（ハウジング１の左右方向）に、電源スイッチ５２の操作ストロークと略同じ間隔をあけて、平行に並べられて、ハウジング１の排気口２１に形成され、またこのハウジング１の排気口２１と同様の排気口７３が第２蓋体６４に形成されている。
【００２２】
そして、第２蓋体６４は、ハウジング１の内部において、排気口２３に対応するハウジング１の上面左側部に対して第２蓋体６４の上表面が摺接して、ハウジング１の排気口２３と送風機４の空気吹出口１６との間で、電源スイッチ５２の操作方向（ハウジング１の左右方向）に摺動できるように、ハウジング１の内部における、左側最上部に配置されている。また、第２蓋体６４は、この一端部（本実施例では右端部）が、操作キー５８の基板部５９の一端部（本実施例では左端部）と、面一に、一体連結され、これら第２蓋体６４と操作キー５８の基板部５９とが一枚の平板になるように、操作キー５８の基板部５９と一体形成されており、第２蓋体６４を操作キー５８と一体にスライドさせ、電源スイッチ５２のオン操作に連動して開動し、電源スイッチ５２のオフ操作に連動して閉動するように構成している。すなわち、第２蓋体６４は、スライドシャッターで構成している。詳しくは、図６に示すように、たとえば、操作キー５８のキートップ部６１がキー孔６２の右端に操作されたときに、電源スイッチ５２がオフになり、操作キー５８のキートップ部６１がキー孔６２の左端に操作されたときに、電源スイッチ５２がオンになるように設定されている場合、操作キー５８がオフ位置あるときに、ハウジング１の排気口２１を構成している固定の各スリット孔２３・・・対して、第２蓋体６４の排気口７３を構成している可動の各スリット孔７２・・・が、スリット孔１本分右側に位置ずれする閉位置に、第２蓋体６４をスライドさせ、操作キー５８がオン位置にあるときに、ハウジング１の排気口２１を構成している固定の各スリット孔２３・・・対して、第２蓋体６４の排気口７３を構成している可動の各スリット孔７２・・・が、一致する開位置に、第２蓋体６４をスライドさせるように、第２蓋体６４を操作キー５８の基板部５９と一体化することで、操作キー５８による電源スイッチ５２のオフ操作に連動して、第２蓋体６４が閉位置にスライドすることで、ハウジング１の排気口２１を閉じ、操作キー５８による電源スイッチ５２のオン操作に連動して、第２蓋体６４が開位置にスライドすることで、ハウジング１の排気口２１を開くように構成している。尚、電源スイッチ５２のオン／オフの操作位置が上記と左右逆の場合には、それに対応して、第２蓋体６４の開閉位置も左右逆になる。また、電源スイッチ５２として、多段式のスライドスイッチを採用し、電動モータ７の回転速度を、たとえば低速・中速・高速に切換え可能に回路構成した場合、各スリット孔２３・・・、７２・・・の幅と間隔を、スイッチのスライド操作ストローク全長に合わせることで、ハウジング１の排気口２１における、開口面積を、送風機４の送風量調整に対応して拡大又は縮小調整できるようになる。
【００２３】
上記のように構成された本実施例の薬剤拡散装置は、薬剤保持体２４の担体２５に、害虫駆除剤、芳香剤、医療用薬剤などの揮散性薬剤を含浸させ、この薬剤保持体２４を、薬剤保持体出入口４０から薬剤保持体収容部３９に挿入して、ハウジング１の内部に装着すると共に、閉姿勢の第１蓋体６３（格納状態のスタンド）を、支点軸６９，６９を中心に回動変位させて、開姿勢に開動操作し、吸気口２０を開く。吸気口２０を開くと、スタンドが、ハウジング１の後面における上下中間部から直角に後方へが突出される（開姿勢の第１蓋体６３）。このハウジング１を、スタンド（開姿勢の第１蓋体６３）の先端と、ハウジング１の底面とで、たとえば、室内や車内などの任意の設置面Ｇに後傾姿勢で設置して、使用するもので、この状態で、キートップ部６１をオン位置にスライド操作すると、この操作に連動して、第２蓋体６３が開動操作されて、排気口２１が開かれる。これと同時に、電動モータ７によって送風機４が駆動され、この送風機４による送風によって、揮散性薬剤が、排気口２１から吹き出される空気に混ざって、室内や車内などの気中に放出されて、拡散充満する。薬剤拡散機能を発揮すると共に、この作動状態を表示ランプ５３の点灯によって使用者に可視表示するものである。
【００２４】
電動モータ７を回転させて送風機４を駆動させると、羽根車５が、ケーシング６に対して、所定方向に回転する。これによって、羽根車５の各翼１１・・・が、内周側の空間から外周側の空間へと空気を掻き出し、ハウジング１の外側の空気が、吸気口２０から空気吸込口１７を経て、羽根車５の内周側の空間に吸い込まれ、このとき、吸気口２０から空気吸込口１７に流入する空気が、薬剤保持体２４を通過して、その空気流中に揮散性薬剤が混入する。そして、羽根車１３の外周側に押し出される揮散性薬剤混入空気が、通風路１８を通って空気吹出口１６を経て、排気口７３，２１からハウジング１の外側に吹き出される。このようにして、送風機４による送風によって揮散性薬剤の拡散が行われる。
【００２５】
作動状態の前記薬剤拡散装置は、キートップ部６１をオフ位置にスライド操作すると、この操作に連動して、第２蓋体６３が閉動操作されて、排気口２１が閉じられる。これと同時に、電動モータ７による送風機４の駆動が停止されて、揮散性薬剤の拡散が止まると共に、この非作動状態を表示ランプ５３の消灯によって使用者に可視表示するものである。このような不使用時には、開姿勢の第１蓋体６３（突出状態のスタンド）を、支点軸６９，６９を中心に回動変位させて、閉姿勢に閉動操作し、吸気口２０を閉じる。吸気口２０を閉じると、スタンド（第１蓋体６３）が、ハウジング１の前面に沿った状態に格納される。
【００２６】
以上のように、本実施例の薬剤拡散装置は、通気口２０，２１を有するハウジング１内に、揮散性薬剤を備え、不使用時に、通気口２０，２１の吸気側と排気側の何れか一方又は両方を閉じ、ハウジング１の通気性を低下又は失わせることで、装置の大型化を招くことなく、不使用時に揮散性薬剤が気中に放出されるのを防止している。また、不使用時に、ハウジング１の通気性を低下又は失わせる手段として、通気口２０，２１を開閉する蓋体６３，６４を備えている。また、この蓋体６３，６４を、揮散性薬剤を通気口２０，２１から強制放出する使用時にのみ開くようにし、すなわち不使用時には蓋体６３，６４が確実に閉じられるようにし、不使用時に揮散性薬剤が気中に放出されるのを、確実に、防止している。
【００２７】
すなわち、吸気口２０と排気口２１を有するハウジング１内に、揮散性薬剤と送風機４及び送風機駆動用の電動モータ７を備え、吸気口２０と排気口２１をそれぞれ開閉する蓋体６３，６４を備え、一方の第１蓋体６３は、ハウジング１の外側に回動自在に取り付けられ、ハウジング１の吸気口２０の開口面を覆う閉姿勢と、ハウジング１から突出し、ハウジング１の吸気口２０と排気口２１の非開口面とでハウジング１を載置面に支える開姿勢と、に回動変位し、ハウジング１のスタンドとして使用可能に構成し、他方の第２蓋体６４は、送風機４を駆動及び停止するための電源スイッチ５２の操作部５８と一体形成され、電源スイッチ５２のオン操作に連動して開動し、オフ操作に連動して閉動するように構成している。そして、不使用時にハウジング１の吸気口２０又は排気口２１の一方又は両方を蓋体６３，６４によって閉じることで、ハウジング１の通気性を低下又は失わせ、揮散性薬剤を使用状態のままで（薬剤保持体収容部３９に収容保持したままで）、通気性を低下させたハウジング１内、又は通気性を失わせたハウジング１内、すなわち略密閉空間（ハウジング１内）に収容できるため、装置の大型化を招くことなく、不使用時に揮散性薬剤が気中に放出されるのを防止できる。しかも、一方の第１蓋体６３を、使用時にハウジング１のスタンドとして使用し、他方の第２蓋体６４を、送風機４を駆動及び停止するための電源スイッチ５２と連動させることで、これら第１蓋体６３及び第２蓋体６４は、揮散性薬剤を排気口２１から強制放出する使用時にのみ開き、不使用時には確実に閉じられるため、不使用時に揮散性薬剤が気中に放出されることを、確実に、防止できる。また、不使用時における、揮散性薬剤のハウジング１外部への接触及び飛散も、確実に、防止することができる。さらに、第１蓋体６３をハウジング１のスタンドとして使用することで、専用のスタンドが不要になり、装置のコンパクト化及びコストダウンを図ることができる。また、ハウジング１を自立可能な形状に形成する必要もなくなり、外観形状に自由にデザインを施すことができると共に、よりコンパクトに形成でき、しかも使用場所や設置場所もあまり限定されず、使い勝手が良い。
【００２８】
第１蓋体６３は、ハウジング１の長手方向に沿う支点軸６９，６９を中心に回動することで、ハウジング１の長手方向幅と略同じ幅に第１蓋体６３を形成でき、ハウジング１の長手方向の幅と略同じ幅を有する第１蓋体６３によって、ハウジング１を安定して載置面Ｇに支えることができる。また、ハウジング１の長手方向の幅と略同じ幅を有する大きな第１蓋体６３に形成でき、これに伴い第１蓋体６３で開閉するハウジング１の吸気口２０の開口面積も大きくすることができる。
【００２９】
また、電源スイッチ５２は、スライドスイッチで構成し、電源スイッチ５２の操作部５８を突出させるハウジング１の表面に、第２蓋体６４で開閉する排気口２１を開口形成し、第２蓋体６４で開閉する排気口２１は、所定間隔をあけて平行に設けた幅の狭い複数のスリット孔２３・・・で構成し、第２蓋体６４は、前記スリット孔２３・・・と同じスリット孔７２・・・を開口形成する板状のスライドシャッターで構成することで、開閉操作量が電源スイッチ５２の小さい操作ストロークと同じになる第２蓋体６４で、大きな開口面積を有するハウジング１の排気口２１を開閉することができる。
【００３０】
このように、大きな開口面積の吸気口２０と排気口２１は、ハウジング１の通気性を高めて送風機４による揮散性薬剤の拡散性能を向上させる上で有効である。
【００３１】
また、送風機４は、電動モータ７の回転軸１３に装着されて回転し、側方から空気を吸い込み遠心方向に空気を送り出す羽根車５と、空気吹出口１６と羽根車５の側板１０に対向する空気吸込口１７とを有し、羽根車５との間に空気吹出口１６につながる渦巻き状の通風路１８が形成されるように、羽根車５を覆うケーシング６と、で構成する遠心送風機（シロッコファン）であり、吸気口２０と排気口２１は、ハウジング１の隣接する表面に形成し、送風機４の空気吸込口１７にハウジング１の吸気口２０が対向し、空気吹出口１６にハウジング１の排気口２１が対向することで、たとえば、軸流ファンなどに比べて、小型の送風機４で必要な風量及び風圧を得ることができ、装置のコンパクト化を図りながら、揮散性薬剤の拡散性能を向上させることができる。
【００３２】
揮散性薬剤を保持し、かつ通気性を有するカード状の薬剤保持体２４を備え、薬剤保持体２４を挿抜きする薬剤保持体出入口４０を、第２蓋体６４で開閉する排気口２１を開口形成するハウジング１の表面に開口形成し、電源スイッチ５２の操作部５８を突出させるハウジング１の表面に、薬剤保持体２４に形成する摘み部３５を突出させることで、薬剤保持体２４がハウジング１内に装着されているか否かを電源スイッチ５２のオン操作時に、使用者に確実に認識させることができ、たとえば、薬剤保持体２４が未装着のままで送風機４が無駄に駆動されるのを防止できる。また、電源スイッチ操作並びに薬剤保持体２４の挿抜きをハウジング１の同一表面から行えるため、取扱性にも優れる。
【００３３】
第１蓋体６３でハウジング１の吸気口２０を開閉し、第２蓋体６４でハウジング１の排気口２１を開閉し、薬剤保持体２４を薬剤保持体出入口４０からハウジング１の吸気口２０と送風機４の空気吸込口１７との間に挿抜自在に装着することで、揮散性薬剤を送風機４の通風路１８の中で、空気流中に均一に分布させることができ、揮散性薬剤の拡散性能を向上させる上で有効となる。
【００３４】
吸気口２１をハウジング１の前面に開口形成し、排気口２１をハウジング１の上面に開口形成し、第１蓋体６３は開姿勢に回動変位したとき、ハウジング１の後面から突出してスタンドとなり、ハウジング１の底面とでハウジング１を後傾姿勢で載置面Ｇに支えることで、使用時には吸気口２０が斜め上方に向き、吸気口２０の直前に物が置かれたとしても、吸気を良好に行うことができ、吸気不良による薬剤拡散性能の低下を防止できるようになり、使用場所や設置場所もあまり限定されず、たとえば、室内の隅の物陰などに設置して使用することも可能となり、また排気口２１からの上向き送風により揮散性薬剤を放出するため、使用場所や設置場所もあまり限定されず、たとえば、室内の低い場所や床面に設置しても、室内に揮散性薬剤を均一に拡散充満させることができ、揮散性薬剤の拡散性能に優れる。
【００３５】
尚、ハウジング１の内部における、右側略半分に送風機部と薬剤保持体収容部３９を構成し、左側略半分に電装部を構成した、本実施例の薬剤拡散装置とはレイアウトが左右逆の薬剤拡散装置としても良い。また、ハウジング１における、吸気口２０を電源スイッチに連動する第２蓋体６３で開閉し、排気口２１をスタンドを兼用する第１蓋体６４で開閉することもできる。さらに、ハウジング１における、排気口２１から空気を吸い込み、吸気口２０から空気を吹き出すように送風機４を構成することもできる。
【００３６】
次に、本発明に係る他の実施例を図１４を参照して説明する。図１４は他の実施例を示す概略説明図であり、前実施例の吸気口２０及び第１蓋体６３と排気口２１及び第２蓋体６４に代えて、ハウジング１に、蓋機能を、吸気口、排気口自体に持った開閉可能な吸気口、排気口として用いる通気口７４を備える。この通気口７４は、例えばブラインドの開閉方式や空調機器の空気吹出し口のようなルーバーの開閉方式を採用しており、図１４は、開口７５と、その開口７５に、一定の傾斜を付け少しずつ間をあけて平行に取付けた（よろい状に組んだ）複数の幅の狭い薄板（よろい板）７６と、で構成する開度調整可能なルーバーである通気口７４を示している。このように、蓋機能を、ハウジング１の吸気口、排気口自体に持たせることで、使用時に蓋が邪魔にならず便利である。また吸気口、排気口自体の各開度調整により、例えば薬剤の種類に応じ吸気量、排気量の調整もできる。
【００３７】
図１５乃至図１７は、前実施例の吸気口２０や排気口２１を開閉する第１蓋体６３や第２蓋体６４に代わる蓋体の変形例を示している。図１５は蓋体の第１変形例を示す概略説明図であり、薄い樹脂板や表面加工などで耐久性を持たせた薄い板紙などを複数の連続した短冊状に折畳んでなる伸縮自在式で折畳み式の蓋体７７を示し、一端側両側の突出部７８，７８が吸気口２０や排気口２１の一端側両側に嵌着され、吸気口２０や排気口２１を伸長展開状態で閉じ、折畳み状態で開くと共に、伸長展開長さを調整することで吸気口２０や排気口２１の開閉及び開度調整を行う。なお、蓋体を弾性材料で形成したりばね状に形成することなどでも伸縮自在式の蓋体を得ることができる。図１６は蓋体の第２変形例を示す概略図であり、樹脂シートや表面加工などで耐久性を持たせた薄い紙シートをロール状に巻いた巻取り式の蓋体７９を示し、一方向クラッチや渦巻きばねなどからなる自動巻取り機構に連結された中心回転軸８０の両端が吸気口２０や排気口２１の一端側両側に嵌着され、ロール部からシートをスクリーン状に引出して吸気口２０や排気口２１を閉じ、引出したシートを自動巻取りして吸気口２０や排気口２１を開くと共に、シートの引出し長さを調整することで吸気口２０や排気口２１の開閉及び開度調整を行う。図１７は蓋体の第３実施例を示す概略図であり、開閉式の板状シャッターからなる開閉シャッター式の蓋体９０を示し、一端側両側の支点軸９１，９１が吸気口２０や排気口２１の一端側両側に嵌着され、一方の支点部に設けられる摘み９２を回すことでシャッター角度を調整し、吸気口２０や排気口２１の開閉及び開度調整を行う。図１８は蓋体の第４変形例を示す概略説明図であり、スライド式の板状シャッターからなるスライドシャッター式の蓋体９３を示し、両側端部が吸気口２０や排気口２１の両側のガイド９４，９４に摺動自在に嵌着され、シャッターをスライドさせることで吸気口２０や排気口２１を開閉すると共に、シャッターのスライド位置を調整することで吸気口２０や排気口２１の開度調整を行う。このように、吸気口２０や排気口２１を開閉する蓋体として、開閉式やスライド式の蓋体を採用できる他、蓋体自体を伸縮自在方式、折畳み方式、巻取り式、開閉シャッター式を採用することでも、使用時に蓋が邪魔にならず便利である。また蓋体の開度調整による吸気口、排気口の各開度調整により、例えば薬剤の種類に応じ吸気量、排気量の調整もできる。
【００３８】
また、図１８に示す如く、蓋体９３の周縁部に例えばスポンジなどのシール材９５を貼付けて、蓋体９３とハウジング１との隙間を塞ぐことで、ハウジング１の密封性能を高めることができ、この点はシール材を適宜選択することで他の変形例の蓋体７７，７９、図１４に示した他の実施例の通気口７４、さらには図１乃至図１３に示した実施例の第１蓋体６３と第２蓋体６４にも採用できる。
【００３９】
図１９の（ａ）（ｂ）はハウジング１の変形例を示す概略説明図であり、ハウジング１を壁などに吊り下げて使用するための掛止め手段として、（ａ）は吸気口２０や排気口２１の非開口面にフック９６を備えた例を示し、（ｂ）は吸気口２０や排気口２１の非開口面にフック孔９７を備えた例を示している。
【図面の簡単な説明】
【００４０】
【図１】本実施形態の一実施例を示す薬剤拡散装置を前方右斜め上方から見た外観図である。
【図２】図１の薬剤拡散装置から薬剤保持体を取出した状態を示す外観図である。
【図３】図１の薬剤拡散装置から第１蓋体を取外した状態を示す外観図である。
【図４】図１の薬剤拡散装置を後方右斜め上方から見た外観図である。
【図５】図４の薬剤拡散装置から電池蓋を取外した状態を示す外観図である。
【図６】図１の薬剤拡散装置の平面図である。
【図７】図１の薬剤拡散装置からスタンドを出した使用状態を示す右側面図である。
【図８】図１の薬剤拡散装置の内部構造を示す説明図である。
【図９】図１の薬剤拡散装置の内部構造を示す電装部分の縦断面図である。
【図１０】図１の薬剤拡散装置の内部構造を示す送風機部の縦断面図である。
【図１１】図１の薬剤拡散装置の第１の分解斜視図である。
【図１２】図１の薬剤拡散装置の第２の分解斜視図である。
【図１３】薬剤保持体の分解斜視図である。
【図１４】第１の他の実施例を示す概略説明図である。
【図１５】蓋体の第１変形例を示す概略図である。
【図１６】蓋体の第２変形例を示す概略図である。
【図１７】蓋体の第３変形例を示す概略図である。
【図１８】蓋体の第４変形例を示す概略図である。
【図１９】ハウジング１の変形例を示す概略説明図である。
【符号の説明】
【００４１】
１  ハウジング
４  送風機
５  羽根車
６  ケーシング
７  電動モータ
１０  第１側板
１１  翼
１３  回転軸
１６  空気吹出口
１７  空気吸込口
１８  通風路
２０  吸気口
２１  排気口
２３  スリット孔
２４  薬剤保持体
３９  薬剤保持体収容部
４０  薬剤保持体出入口
５２  電源スイッチ
５７  操作部
５８  操作キー（操作部）
６３  第１蓋体
６４  第２蓋体
６９  支点軸
７０  回動アーム
７２  スリット孔
７３  排気口
Ｇ  載置面
【図１】
2005348655.tif 000003
【図２】
2005348655.tif 000004
【図３】
2005348655.tif 000005
【図４】
2005348655.tif 000006
【図５】
2005348655.tif 000007
【図６】
2005348655.tif 000008
【図７】
2005348655.tif 000009
【図８】
2005348655.tif 000010
【図９】
2005348655.tif 000011
【図１０】
2005348655.tif 000012
【図１１】
2005348655.tif 000013
【図１２】
2005348655.tif 000014
【図１３】
2005348655.tif 000015
【図１４】
2005348655.tif 000016
【図１５】
2005348655.tif 000017
【図１６】
2005348655.tif 000018
【図１７】
2005348655.tif 000019
【図１８】
2005348655.tif 000020
【図１９】
2005348655.tif 000021